(57)【要約】【課題】本発明の第一の目的は、効率よくＡＰ、ＯＮＵ、及びＯＬＴを省電力モードとし、ネットワーク全体の消費電力の低減を図る光無線通信アクセスシステム及び省電力化方法を提供することである。また、本発明の第二の目的は、配下に通信中のＳＴＡが収容されているＯＬＴを省電力モードとすることを可能にし、ネットワーク全体の消費電力の低減を図る光無線アクセスシステム及び省電力化方法を提供することである。【解決手段】本発明は、ＯＬＴが、自身の配下の全てのＳＴＡを他のＯＬＴに接続変更可能な場合にこれら全てを他のＯＬＴに接続変更し、自身を省電力モードに切り替えることとした。本発明は、ＳＴＡの収容先を変更しようとした時、当該ＳＴＡが通信中である場合、収容先変更が完了するまで集線スイッチで当該ＳＴＡ宛の下りデータを一時保管する。このため、ＳＴＡが通信中であってもＳＴＡの収容先を変更することができる。【選択図】図１
2015231102.tif 000002
【特許請求の範囲】
【請求項１】
省電力機能を有する光加入者線終端装置を含む複数の光加入者線終端装置と、
前記複数の光加入者線終端装置と接続された集線スイッチと、
前記複数の光加入者線終端装置毎に光伝送路で接続された光ネットワーク終端装置と、
少なくとも１つの前記光ネットワーク終端装置に接続された無線収容装置と、
を備える光無線アクセスシステムであって、
前記複数の光加入者線終端装置は、
前記無線収容装置に接続可能なユーザ端末の接続先を、前記ユーザ端末の収容先が特定の光加入者線終端装置に集中するように、前記光ネットワーク終端装置を介して前記特定の光加入者線終端装置と接続する前記無線収容装置へ変更し、
前記特定の光加入者線終端装置と異なる前記省電力機能を備える光加入者線終端装置は、
自らが接続する前記光ネットワーク終端装置を介して収容していた前記ユーザ端末が前記特定の光加入者線終端装置へ収容されたときに、省電力機能を有効にする
ことを特徴とする光無線アクセスシステム。
【請求項２】
前記集線スイッチは、
前記ユーザ端末の収容先の変更前に、変更対象の前記ユーザ端末宛の下りデータを一時的に保管し、前記ユーザ端末の収容先の変更完了後に、保管していた前記下りデータを前記特定の光加入者線終端装置を介して前記ユーザ端末へ送信する
ことを特徴とする請求項１に記載の光無線アクセスシステム。
【請求項３】
全ての前記光ネットワーク終端装置は、それぞれ前記無線収容装置を接続していることを特徴とする請求項１又は２に記載の光無線アクセスシステム。
【請求項４】
前記特定の光加入者終端装置が前記省電力機能を有する光加入者終端装置の収容する前記ユーザ端末を収容可能とするように、それぞれの光加入者終端装置に接続する前記光ネットワーク終端装置が配置される
ことを特徴とする請求項１から３のいずれかに記載の光無線アクセスシステム。
【請求項５】
前記光加入者線終端装置は、
前記ユーザ端末が接続可能な前記無線収容装置の情報を記録する接続情報テーブルを有し、
前記接続情報テーブルを基に前記ユーザ端末に接続先の前記無線収容装置を指示する
ことを特徴とする請求項１から４のいずれかに記載の光無線アクセスシステム。
【請求項６】
前記光加入者線終端装置は、
前記ユーザ端末に接続先の前記無線収容装置を指示する際に前記接続情報テーブルを参照し、最も多くの前記ユーザ端末が接続可能な前記無線収容装置を接続先に指定することを特徴とする請求項５に記載の光無線アクセスシステム。
【請求項７】
前記光加入者線終端装置は、
前記ユーザ端末に接続先の前記無線収容装置を指示する際に省電力機能を有効にしている光加入者線終端装置に前記光ネットワーク終端装置を介して接続する前記無線収容装置を接続先の対象から除外することを特徴とする請求項５に記載の光無線アクセスシステム。
【請求項８】
省電力機能を有する光加入者線終端装置を含む複数の光加入者線終端装置と、
前記複数の光加入者線終端装置と接続された集線スイッチと、
前記複数の光加入者線終端装置毎に光伝送路で接続された光ネットワーク終端装置と、
少なくとも１つの前記光ネットワーク終端装置に接続された無線収容装置と、
を備える光無線アクセスシステムの省電力化方法であって、
前記複数の光加入者線終端装置において、
前記無線収容装置に接続可能なユーザ端末の接続先を、前記ユーザ端末の収容先が特定の光加入者線終端装置に集中するように、前記光ネットワーク終端装置を介して前記特定の光加入者線終端装置と接続する前記無線収容装置へ変更し、
前記特定の光加入者線終端装置と異なる前記省電力機能を備える光加入者線終端装置において、
自らが接続する前記光ネットワーク終端装置を介して収容していた前記ユーザ端末が前記特定の光加入者線終端装置へ収容されたときに、省電力機能を有効にする
ことを特徴とする省電力化方法。
【発明の詳細な説明】
【技術分野】
【０００１】
本発明は、ポイントツーポイントまたはポイントツーマルチポイントの通信を行う光ネットワークと無線通信を行う無線通信システムとが接続された光無線アクセスシステム及びその省電力化方法に関する。
【背景技術】
【０００２】
従来より広く普及しているノートＰＣや携帯ゲーム機などに加え、近年ではスマートフォンやタブレット端末などの登場によって、ＩＥＥＥ８０２．１１等の無線ＬＡＮ機能を備えるユーザ端末（ＳＴＡ）が普及している（例えば、非特許文献１を参照。）。これに伴い、家庭や商業施設における無線収容装置（ＡＰ：無線ＬＡＮアクセスポイント）の普及も拡大しており、特に集合住宅などでは、各部屋にそれぞれＡＰが設置され、物理的には他の部屋のＡＰと通信が可能な状況が発生している。
【０００３】
また一方では、トラフィック量の増加に伴う、通信端末の消費電力増加が懸念されており、通信端末の省電力化機能が検討されている。ＩＥＥＥ８０２．１１などの無線インターフェースに関しては、バッテリーでの動作を念頭に検討が進められてきたため、既に多くの装置にＰＳＭ（Ｐｏｗｅｒ  Ｓａｖｅ  Ｍｏｄｅ）などの省電力化機能が実装されているが、近年有線のインターフェースに関しても、ＩＥＥＥ８０２．３ａｚやＩＥＥＥ１９０４．１という形で標準化が完了し、市場に製品として出始めている。
【先行技術文献】
【非特許文献】
【０００４】
【非特許文献１】ＩＥＥＥ  Ｓｔａｎｄａｒｄ  ８０２．１１，  Ｗｉｒｅｌｅｓｓ  ＬＡＮ  ｍｅｄｉｕｍ  ａｃｃｅｓｓ  ｃｏｎｔｒｏｌ  （ＭＡＣ）  ａｎｄ  Ｐｈｙｓｉｃａｌ  ｌａｙｅｒ  （ＰＨＹ）  ｓｐｅｃｉｆｉｃａｔｉｏｎｓ，  １２  Ｊｕｎｅ，  ２００７．
【発明の概要】
【発明が解決しようとする課題】
【０００５】
しかしながら、あるＡＰが物理的に複数のＳＴＡを収容可能であり、かつ該ＡＰが複数のＳＴＡに対して十分ネットワークの帯域幅を提供可能な場合であっても、複数のＡＰは独立に動作し、複数の光ネットワーク終端装置（ＯＮＵ：Ｏｐｔｉｃａｌ  Ｎｅｔｗｏｒｋ  Ｕｎｉｔ）や複数のＡＰでそれぞれ電力を消費する。つまり、ＡＰおよびＯＮＵが独立して動作することでこれらを収容する光加入者線終端装置（ＯＬＴ：Ｏｐｔｉｃａｌ  Ｌｉｎｅ  Ｔｅｒｍｉｎａｌ）も省電力モードにならず、ネットワーク全体の消費電力を低減することが困難という課題があった。
【０００６】
本発明は、このような課題に鑑みてなされたものであり、本発明の第一の目的は、効率よくＡＰ、ＯＮＵ、及びＯＬＴを省電力モードとし、ネットワーク全体の消費電力の低減を図る光無線通信アクセスシステム及び省電力化方法を提供することにある。
【０００７】
また、複数のＡＰが連携し、複数のＳＴＡを該ＡＰに収容することで、他のＡＰおよび他のＯＮＵを休止させた場合であっても、ＯＬＴの配下に通信中のＳＴＡが収容されている場合は、ＯＬＴを休止させることができず、ＯＬＴの消費する電力を削減することが困難であるという課題があった。
【０００８】
本発明の第二の目的は、配下に通信中のＳＴＡが収容されているＯＬＴを省電力モードとすることを可能にし、ネットワーク全体の消費電力の低減を図る光無線アクセスシステム及び省電力化方法を提供することにある。
【課題を解決するための手段】
【０００９】
本発明は、ＯＬＴが、自身の配下の全てのＳＴＡを他のＯＬＴに接続変更可能な場合にこれら全てを他のＯＬＴに接続変更し、自身を省電力モードに切り替えることとした。
【００１０】
具体的には、本発明に係る光無線アクセスシステムは、
省電力機能を有する光加入者線終端装置を含む複数の光加入者線終端装置と、
前記複数の光加入者線終端装置と接続された集線スイッチと、
前記複数の光加入者線終端装置毎に光伝送路で接続された光ネットワーク終端装置と、
少なくとも１つの前記光ネットワーク終端装置に接続された無線収容装置と、
を備える光無線アクセスシステムであって、
前記複数の光加入者線終端装置は、
前記無線収容装置に接続可能なユーザ端末の接続先を、前記ユーザ端末の収容先が特定の光加入者線終端装置に集中するように、前記光ネットワーク終端装置を介して前記特定の光加入者線終端装置と接続する前記無線収容装置へ変更し、
前記特定の光加入者線終端装置と異なる前記省電力機能を備える光加入者線終端装置は、
自らが接続する前記光ネットワーク終端装置を介して収容していた前記ユーザ端末が前記特定の光加入者線終端装置へ収容されたときに、省電力機能を有効にする
ことを特徴とする。
【００１１】
また、本発明に係る省電力化方法は、
前記光無線アクセスシステムの省電力化方法であって、
前記複数の光加入者線終端装置において、
前記無線収容装置に接続可能なユーザ端末の接続先を、前記ユーザ端末の収容先が特定の光加入者線終端装置に集中するように、前記光ネットワーク終端装置を介して前記特定の光加入者線終端装置と接続する前記無線収容装置へ変更し、
前記特定の光加入者線終端装置と異なる前記省電力機能を備える光加入者線終端装置において、
自らが接続する前記光ネットワーク終端装置を介して収容していた前記ユーザ端末が前記特定の光加入者線終端装置へ収容されたときに、省電力機能を有効にする
ことを特徴とする。
【００１２】
１つのＡＰが複数のＳＴＡに対して十分ネットワークの帯域幅を提供可能な場合に、前記１つのＡＰが他のＡＰに接続するＳＴＡを収容することで、他のＡＰ、これに接続するＯＮＵ及びこれらを収容するＯＬＴを経由するデータが無くなる。このため他のＡＰ、これに接続するＯＮＵ及びこれらを収容するＯＬＴを省電力モードに切り替えることができ、ネットワーク全体の消費電力を低減できる。従って、本発明は、効率よくＡＰ、ＯＮＵ、及びＯＬＴを省電力モードとし、ネットワーク全体の消費電力の低減を図る光無線通信アクセスシステム及び省電力化方法を提供することができる。
【００１３】
本発明に係る光無線アクセスシステムの前記集線スイッチは、
前記ユーザ端末の収容先の変更前に、変更対象の前記ユーザ端末宛の下りデータを一時的に保管し、前記ユーザ端末の収容先の変更完了後に、保管していた前記下りデータを前記特定の光加入者線終端装置を介して前記ユーザ端末へ送信する
ことを特徴とする。
【００１４】
ＳＴＡの収容先を変更しようとした時、当該ＳＴＡが通信中である場合、収容先変更が完了するまで集線スイッチで当該ＳＴＡ宛の下りデータを一時保管する。このため、ＳＴＡが通信中であってもＳＴＡの収容先を変更することができる。従って、本発明は、配下に通信中のＳＴＡが収容されているＯＬＴを省電力モードとすることを可能にし、ネットワーク全体の消費電力の低減を図る光無線アクセスシステム及び省電力化方法を提供することができる。
【００１５】
本発明に係る光無線アクセスシステムの全ての前記光ネットワーク終端装置は、それぞれ前記無線収容装置を接続していることを特徴とする。
【００１６】
本発明に係る光無線アクセスシステムの前記特定の光加入者終端装置が前記省電力機能を有する光加入者終端装置の収容する前記ユーザ端末を収容可能とするように、それぞれの光加入者終端装置に接続する前記光ネットワーク終端装置が配置される。例えば、特定のＯＬＴに接続するＯＮＵの系と省電力機能を有するＯＬＴに接続するＯＮＵの系とを交互に配置する。このような構成とすることで、一つのエリア内のＳＴＡは異なるＯＬＴを介して通信することができる。このため、ＳＴＡの収容先を一つのＯＬＴへ移動させて他のＯＬＴを省電力モードに切り替えることが容易であり、ネットワーク全体の省電力化の効果を高めることができる。
【００１７】
本発明に係る光無線アクセスシステムの前記光加入者線終端装置は、前記ユーザ端末が接続可能な前記無線収容装置の情報を記録する接続情報テーブルを有し、前記接続情報テーブルを基に前記ユーザ端末に接続先の前記無線収容装置を指示することを特徴とする。接続情報テーブルを用いることでＳＴＡの収容先を変更することが可能となる。
【００１８】
本発明に係る光無線アクセスシステムの前記光加入者線終端装置は、前記ユーザ端末に接続先の前記無線収容装置を指示する際に前記接続情報テーブルを参照し、最も多くの前記ユーザ端末が接続可能な前記無線収容装置を接続先に指定することを特徴とする。ＳＴＡが接続できるＡＰに偏りがある場合、１つのＡＰにできるだけ多くのＳＴＡを接続させるようにする。他のＡＰでの通信量が減りＯＮＵの消費電力を低減することができる。
【００１９】
本発明に係る光無線アクセスシステムの前記光加入者線終端装置は、前記ユーザ端末に接続先の前記無線収容装置を指示する際に省電力機能を有効にしている光加入者線終端装置に前記光ネットワーク終端装置を介して接続する前記無線収容装置を接続先の対象から除外することを特徴とする。省電力モードのＯＬＴ配下のＡＰにＳＴＡが再接続しないように制御するため、当該ＯＬＴの省電力モードを長時間続けることができる。
【発明の効果】
【００２０】
本発明は、効率よくＡＰ、ＯＮＵ、及びＯＬＴを省電力モードとし、ネットワーク全体の消費電力の低減を図る光無線通信アクセスシステム及び省電力化方法を提供することができる。また、本発明は、配下に通信中のＳＴＡが収容されているＯＬＴを省電力モードとすることを可能にし、ネットワーク全体の消費電力の低減を図る光無線アクセスシステム及び省電力化方法を提供することができる。
【図面の簡単な説明】
【００２１】
【図１】本発明に係る光無線アクセスシステムを説明する図である。
【図２】本発明に係る光無線アクセスシステムを説明する図である。
【図３】本発明に係る光無線アクセスシステムを説明する図である。
【図４】本発明に係る光無線アクセスシステムの動作を説明する図である。
【図５】本発明に係る光無線アクセスシステムの動作を説明する図である。
【図６】本発明に係る光無線アクセスシステムの動作を説明する図である。
【図７】従来の光無線アクセスシステムを説明する図である。
【発明を実施するための形態】
【００２２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２３】
（実施形態１）
図１は、本実施形態の光無線アクセスシステム３０１を説明する図である。光無線アクセスシステム３０１は、省電力機能を有するＯＬＴ（図１ではＯＬＴ１４−２）を含む複数のＯＬＴ１４と、複数のＯＬＴ１４と接続された集線スイッチ１５と、複数のＯＬＴ毎に光伝送路１６で接続されたＯＮＵ１３と、少なくとも１つのＯＮＵ１３に接続されたＡＰ１２と、を備える。そして、複数のＯＬＴ１４は、ＡＰ１２に接続可能なＳＴＡ１１の接続先を、ＳＴＡ１１の収容先が特定のＯＬＴ１４（図１ではＯＬＴ１４−１）に集中するように、ＯＮＵ１３（図１ではＯＮＵ１３−１）を介してＯＬＴ１４−１と接続するＡＰ１２（図１ではＡＰ１２−１）へ変更し、ＯＬＴ１４−２は、自らが接続するＯＮＵ１３−２を介して収容していたＳＴＡ１１−２がＯＬＴ１４−１へ収容されたときに、省電力機能を有効にする。
【００２４】
以下、図１の光無線アクセスシステム３０１で説明するが、図２の光無線アクセスシステム３０２でも同様である。光無線アクセスシステム３０２は、全てのＯＮＵ１３が、それぞれＡＰ１２を接続している点が光無線アクセスシステム３０１と異なる。
【００２５】
ＯＬＴ１４は、ＳＴＡ１１が接続可能なＡＰ１２の情報を記録する接続情報テーブルを有し、前記接続情報テーブルを基にＳＴＡ１１に接続先のＡＰ１２を指示する。
【００２６】
（接続情報テーブルの生成手順）
各ＡＰ１２は、ＳＴＡ１１と接続を確立する際に、ＯＬＴ１４にＳＴＡ１１の接続情報を送信する。ＯＬＴ１４は、送信された接続情報に基づき、配下の各ＳＴＡ１１が、他のＯＬＴ１４に接続されているＡＰ１２に接続可能かどうかを接続情報テーブルに記録する。
【００２７】
（接続情報テーブルに基づく片寄せ手順）
省電力機能を備えるＯＬＴ１４−２は、接続情報テーブルを参照し、配下の全てのＳＴＡ１１−２が他のＯＬＴ１４−１（特定のＯＬＴ）に接続可能と判断すると、集線ＳＷ１５に対して方路切り替えを指示し、ＳＴＡ１１−２に対して接続ＡＰを変更する旨のメッセージを送信する。なお、図１では、ＳＴＡ１１−２は、無線ＬＡＮと有線ＬＡＮが可能であり、現在、有線ＬＡＮにてＯＮＵ１３−２に直接接続されている。ＳＴＡ１１−２はメッセージを受信すると、メッセージに従って接続ＡＰを変更する（図１では、ＳＴＡ１１−２は、有線ＬＡＮの機能を停止し、無線ＬＡＮの機能を起動してＡＰ１２−１と接続する。）。この際、ＳＴＡ１１が新たに接続するＡＰはＳＴＡが接続可能なＡＰをラウンドロビンで選択してもよいし、ＯＬＴ１４からの指示によって切り替えてもよい。
【００２８】
（省電力機能の有効化手順）
省電力機能を備えるＯＬＴ１４−２は、ＳＴＡ１１−２の接続変更が完了した旨のメッセージと、集線ＳＷ１５の方路切り替えが完了した旨のメッセージを受信すると、起床する旨の信号が入力されるまで、省電力機能を有効にし、省電力化を図る。
【００２９】
（集線ＳＷの方路切り替え手順）
集線ＳＷ１５は、ＯＬＴ１４から方路切り替えを通知されると、切り替え前のＯＬＴ１４−２を経由して送信していた宛先に対して、切り替え後のＯＬＴ１４−１を経由して送信するよう切り替える。
【００３０】
（省電力機能の例示）
ＯＬＴ１４−２の省電力機能は、具体的には、ＯＮＵ１３側の送受信機を一時的に停止してもよいし、集線ＳＷ１５側の送受信機を一時的に停止してもよい。
【００３１】
（実施形態２）
図３は、本実施形態の光無線アクセスシステム３０３を説明する図である。光無線アクセスシステム３０３は、特定のＯＬＴ１４−１が省電力機能を有するＯＬＴ１４−２の収容するＳＴＡ（図３ではＳＴＡ１１−２とＳＴＡ１１−４）を収容可能とするように、それぞれのＯＬＴに接続するＯＮＵが配置されている。
【００３２】
光無線アクセスシステム３０３は、光ファイバ１６上に光分岐部１７を有しており、ＯＬＴ１４−１がＯＮＵ（１３−１、１３−３）と接続し、ＯＬＴ１４−２がＯＮＵ（１３−２、１３−４）と接続する。そして、それぞれのＯＮＵ１３に接続するＡＰ１２を介して、ＯＬＴ１４−１がＳＴＡ（１１−１、１１−３）を収容し、ＯＬＴ１４−２がＳＴＡ（１１−２、１１−４）を収容している。
【００３３】
光無線アクセスシステム３０３の特徴は、隣接するＡＰが接続されるＯＮＵとは異なるＯＬＴに収容されるようにＡＰとＯＮＵを配置する点である。具体的には、ＯＬＴ１４−１に接続するＯＮＵ１３−１、ＯＬＴ１４−２に接続するＯＮＵ１３−２、ＯＬＴ１４−１に接続するＯＮＵ１３−３、ＯＬＴ１４−２に接続するＯＮＵ１３−４が順に並ぶように配置する。そして、ＳＴＡ１１を接続できる担当エリアが重複するようにＡＰ１２を配置する。例えば、ＡＰ１２−１の担当エリアとＡＰ１２−２の担当エリアを重複させ、ＡＰ１２−３の担当エリアとＡＰ１２−４の担当エリアを重複させる。
【００３４】
従来の構成では、各ＯＬＴが収容可能なエリアがそれぞれ分かれている（図７参照）。例えば各ＡＰの配下にあるＳＴＡが、無線の到達距離等の制約によって、各ＡＰに隣接したＡＰまでしか接続できない場合、ＳＴＡ（１１−３、１１−４）はＯＬＴ１４−１配下のＡＰ（１２−１、１２−２）に接続できず、ＯＬＴ１４−２の配下のＡＰ１２−３又はＡＰ１２−４に接続することとなる。このため、ＯＬＴ１４−２はＳＴＡの管理対象が０にならないので省電力機能を有効にできない。同様に、ＳＴＡ（１１−１、１１−２）はＯＬＴ１４−１の配下のＡＰ１２−１又はＡＰ１２−２に接続するため、ＯＬＴ１４−１はＳＴＡの管理対象が０にならないので省電力機能を有効にできない。
【００３５】
一方、光無線アクセスシステム３０３のＯＮＵ１３は、それぞれＳＴＡ１１を収容できる担当エリアを有しており、ＯＬＴ１４−１に接続するＯＮＵ（１３−１、１３−３）の担当エリアとＯＬＴ１４−２に接続するＯＮＵ（１３−２、１３−４）の担当エリアとが重複している。このため、距離等の制約により、各ＳＴＡから接続可能なＡＰが限られる場合であっても、いずれかのＯＬＴ１４に収容を偏らせることが可能である。具体的には、ＳＴＡ１１−１とＳＴＡ１１−２がＡＰ１２−１に接続し、ＳＴＡ１１−３とＳＴＡ１１−４がＡＰ１２−３に接続することによって、全てのＳＴＡがＯＬＴ１４−１に収容されることとなり、その結果ＯＬＴ１４−２の省電力機能を有効にすることができる。
【００３６】
また、光無線アクセスシステム３０３は、ＯＬＴ１４−２の省電力機能を有効にすることを可能にするだけではなくプロテクション機能もある。つまり、光無線アクセスシステム３０３は、ＯＬＴ１４−２配下のいずれかの装置や設備、すなわちＯＬＴ１４−２、ＯＮＵ１３−２、ＯＮＵ１３−４、ＡＰ１２−２、ＡＰ１２−４、およびその間の光ファイバ１６に故障等が発生した場合であっても、継続して通信を提供することができ、光無線アクセスシステムの可用性を向上することができる。
【００３７】
（実施形態３）
図４は、光無線アクセスシステム３０３の動作を説明する図である。各ＳＴＡ１１は全てのＡＰ１２に対して接続可能である。
【００３８】
ＳＴＡ１１−１はＡＰ１２−１に対して、自身がＡＰ１２−１およびＡＰ１２−２に接続可能であるという内容のＳＴＡ接続情報を通知する。ＡＰ１２−１はＳＴＡ接続情報をＯＬＴ１４−１に送信し、ＯＬＴ１４−１は接続情報テーブルに記録する。ＳＴＡ１１−３もＡＰ１２−３を介し、ＯＬＴ１４−１の接続情報テーブルにＳＴＡ接続情報を記録する。同様に、ＳＴＡ（１１−２、１１−４）もＡＰ（１２−２、１２−４）を介し、ＯＬＴ１４−２の接続情報テーブルにＳＴＡ接続情報を記録する。
【００３９】
ＯＬＴ１４−２は、自身の接続情報テーブルを参照し、接続情報テーブル内の全てのＳＴＡ（１１−２、１１−４）が、他のＯＬＴ（ＯＬＴ１４−１）の配下のＡＰ（１２−１、１２ー３）にそれぞれ接続可能であることを認識する。
【００４０】
ＯＬＴ１４−２は配下の全てのＳＴＡ（１１−２、１１−４）に対して、ＡＰ接続変更を要求し、同時に集線ＳＷ１５に対して、ＳＴＡ（１１−２、１１−４）に対して接続変更を要求した旨を通知する。
【００４１】
集線ＳＷ１５は、ＳＴＡ（１１−２、１１−４）に対する接続変更要求を通知されると、それらの接続変更が完了するまで、ＳＴＡ（１１−２、１１−４）宛ての下りデータをバッファする。
【００４２】
ＳＴＡ（１１−２、１１−４）は、接続変更の要求を受けると、ラウンドロビンで保持する次の接続先としてそれぞれＡＰ（１２−１、１２−３）を選択し、接続し直す。ＳＴＡ（１１−２、１１−４）がそれぞれＡＰ（１２−１、１２−３）に接続変更を完了させると、ＳＴＡ（１１−２、１１−４）は接続変更の完了通知をＯＬＴ１４−１に通知する。
【００４３】
ＯＬＴ１４−１は、ＳＴＡ（１１−２、１１−４）から接続変更の完了通知を集線ＳＷ１５に転送する。集線ＳＷ１５はＳＴＡ（１１−２、１１−４）の接続変更の完了通知を受信すると、ＳＴＡ（１１−２、１１−４）宛てのデータをＯＬＴ１４−１を介してそれぞれに送信する。
【００４４】
ＯＬＴ１４−２は、集線ＳＷ１５からＳＴＡ（１１−２、１１−４）の接続変更の完了通知を受信すると、ＯＬＴ１４−２の接続情報テーブルからＳＴＡ（１１−２、１１−４）の情報を削除もしくは、管理対象外とする。ＯＬＴ１４−２は、接続情報テーブルから管理対象のＳＴＡ１１が０個となった時に、省電力機能を有効化し、消費電力の低減を図る。
【００４５】
（実施形態４）
図５は、本実施形態の光無線アクセスシステム３０３の動作を説明する図である。ＯＬＴ１４は、ＳＴＡ１１に接続先のＡＰ１２を指示する際に省電力機能を有効にしているＯＬＴ１４にＯＮＵ１３を介して接続するＡＰ１２を接続先の対象から除外する。
【００４６】
光無線アクセスシステム３０３は、ＯＬＴ１４−１とＯＬＴ１４−２のいずれに対しても全ＳＴＡ１１の収容を集めることができる。このため、ＯＬＴ１４−１が配下のＳＴＡに対して、ＯＬＴ１４−２配下のＡＰ１２−２又はＡＰ１２−４への再接続するよう要求する一方、ＯＬＴ１４−２が配下のＳＴＡに対して、ＯＬＴ１４−１配下のＡＰ１２−１又はＡＰ１２−２への再接続を要求する、という繰り返しが発生しうる。この繰り返しが発生すると、再接続を行うためのオーバーヘッドが生じるため、帯域や消費電力の観点から効率が低下する。
【００４７】
本実施形態では、ＯＬＴ１４は接続情報テーブルを用いて再接続の判断を行う際に、省電力機能を有効にしているＯＬＴ１４の配下のＡＰ１２へ再接続する選択肢を除外する。例えば、ＳＴＡ１１−１をＯＬＴ１４−２配下のＡＰ１２−２へ、ＳＴＡ１１−３をＯＬＴ１４−２配下のＡＰ１２−４へ、の再接続が完了し、ＯＬＴ１４−１が省電力機能を有効にした後、ＯＬＴ１４−２は、接続情報テーブルでＯＬＴ１４−１に接続するＡＰ（１２−１、１２−３）を接続先の対象外とする。このように設定することで、ＯＬＴ１４−２からＯＬＴ１４−１への再接続が繰り返されないため、再接続の繰り返しにかかるオーバーヘッドを抑制することができる。
【００４８】
（実施形態５）
図６は、本実施形態の光無線アクセスシステム３０３の動作を説明する図である。ＯＬＴ１４は、ＳＴＡ１１に接続先のＡＰ１２を指示する際に前記接続情報テーブルを参照し、最も多くのＳＴＡ１１が接続可能なＡＰ１２を接続先に指定する。
【００４９】
それぞれのＯＬＴ１４の接続情報テーブルには、ＳＴＡ１１−１がＡＰ１２−１およびＡＰ１２−２、ＳＴＡ１１−２およびＳＴＡ１１−３が全ＡＰ１２、ＳＴＡ１１−４がＡＰ１２−２、ＡＰ１２−３及びＡＰ１２−４に接続可能と記載している。
【００５０】
それぞれのＯＬＴ１４は再接続先のＡＰ１２として、ＳＴＡ１１を収容可能な数が最も多いＡＰ１２−２を優先して再接続させる。ＡＰ１２−２にＳＴＡ１１の収容を集めることで、他のＡＰ（１２−１、１２−３、１２−４）、これらのＡＰに接続されたＯＮＵ（１３−１、１３−３、１３−４）、及びＯＬＴ１４−１を省電力モードとすることができる上、ＯＮＵ１３の消費電力を低減をより大きくすることができる。
【００５１】
（本発明の効果）
本発明は、通信を行っていない状態の光ネットワーク終端装置が多数接続されることにより、光ネットワーク全体の消費電力が増大するという課題を解決する光無線アクセスシステムを提供することができる。
【００５２】
また、本発明は無線収容装置、光ネットワーク終端装置、配線光ファイバ、受動光分岐部、幹線光ファイバ、光加入者線終端装置のいずれかが故障等により利用できない場合においても、ユーザ端末を異なる無線収容装置に接続させ、継続して通信サービスを提供可能な光無線アクセスシステムを提供することができる。
【符号の説明】
【００５３】
１１、１１−１〜１１−４：ユーザ端末（ＳＴＡ）
１２、１２−１〜１２−４：無線収容装置（ＡＰ）
１３、１３−１〜１３−４：光ネットワーク終端装置（ＯＮＵ）
１４、１４−１〜１４−４：光加入者線終端装置（ＯＬＴ）
１５：集線スイッチ（集線ＳＷ）
１６：光ファイバ
１７：光分岐部
３０１〜３０３：光無線アクセスシステム
【図１】
2015231102.tif 000003
【図２】
2015231102.tif 000004
【図３】
2015231102.tif 000005
【図４】
2015231102.tif 000006
【図５】
2015231102.tif 000007
【図６】
2015231102.tif 000008
【図７】
2015231102.tif 000009